(57)【要約】      （修正有）【課題】給紙装置を画像形成装置から引き出して、ロール紙の先端のカットを行っているときに、ロール紙を画像形成部側に搬送する搬送装置の駆動源を誤って作動させて、手が巻き込まれることを防止することができる給紙装置を提供する。【解決手段】ロール紙収容部は、ロール紙を支持するフレーム１００と、ロール紙を繰り出す繰出手段２００と、繰り出されたロール紙を所定の長さに切断する一対のロール紙を切断する切断手段と、ロール紙の繰り出しおよび巻戻しの動力源となる駆動手段４００と、該駆動手段４００の駆動力を該繰出手段２００およびロール紙に伝達する第一伝達手段５００、第二伝達手段、第三伝達手段７００とを有することを特徴とする。【選択図】図２
2013180845.tif 000002
【特許請求の範囲】
【請求項１】
画像形成部に供給するロール紙を収容し、多段に載置可能なロール紙収容部を備えた給紙装置において、
前記ロール紙収容部は、前記ロール紙を支持するフレームと、前記ロール紙を繰り出す繰出手段と、繰り出された前記ロール紙を所定の長さに切断する一対の前記ロール紙を切断する切断手段と、前記ロール紙の繰り出しおよび巻戻しの動力源となる駆動手段と、該駆動手段の駆動力を該繰出手段および前記ロール紙に伝達する伝達手段とを有し、
前記伝達手段は、一方の前記フレーム側に配置された第一伝達手段と、他方の前記フレーム側に配置された第二伝達手段とからなり、
前記駆動手段は、前記第一伝達手段は、前記駆動手段に接続され、前記繰出手段を作動させ、
前記第二伝達手段は、前記駆動手段の駆動力を前記繰出手段を介して伝達され、
前記第一伝達手段には、前記ロール紙収容部を引き出した時に、前記第二伝達手段に前記駆動手段の駆動力の伝達を断つ、第三伝達手段が設けられていることを特徴とする給紙装置。
【請求項２】
前記駆動手段は、動力伝達手段を介して、前記駆動手段の駆動力を前記第一伝達手段に伝達させ、
前記繰出手段は、ローラ軸にローラが設けられた、一対の構成からなり、
前記前記第一伝達手は、第一ギアと、該第一ギアに歯合する第一電磁クラッチとからなり、
前記前記第二伝達手は、他方の前記ローラ軸に配置された第三ギアと、該第三ギアに歯合する第四ギアと
からなり、
前記第三伝達手段は、前記第一ギアと歯合する第二電磁クラッチギアと、第九ギアと、第一クラッチギアと、該第一クラッチギアに市号する第二ギアとからなることを特徴とする請求項１記載の給紙装置。
.
【発明の詳細な説明】
【技術分野】
【０００１】
電子写真装置等に適用される画像形成装置にロール紙を供給する給紙装置に関する。
【背景技術】
【０００２】
電子写真装置等に使用される画像形成装置に、ロール紙を供給する構成として、特許文献１のようなものがある。
【０００３】
特許文献１の構成は、記録紙上に画像を形成する画像形成部１と給紙装置２００とからなる。給紙装置は、筐体（３、４）に、ロール紙（３００、４００）が収容されるロール紙収容部（３０、４０）を備えている。各筐体（３、４）は、レール機構部１０（筐体４は図示されていない）によってロール紙の搬送方向に引き出されるようになっている。
【０００４】
ロール紙収容部に収容されたロール紙は、送り出しローラ３１によって、一定速度で画像形成部１側に送り出される。また、送り出しローラには。ロール紙３００の、切断動作後における先頭部分を、画像形成部１側に送り出す方向とは逆方向に巻き戻すようになっている。
【０００５】
しかし、特許文献１の構成は、カットしたロール紙は、全て搬送経路１１を介して装置外に排出されるため、先端の切り揃えや、ロール紙外周のテープ跡や汚れを除くための長さが短くカットしたロール紙は、搬送経路中で詰まってしまうおそれがある。
【０００６】
このため、各給紙装置に、ロール紙を切断する切断装置を設け、給紙装置を画像形成装置から引き出して、切断装置により先に述べたカット作業を行うことが想定される。
【０００７】
【特許文献１】特開２０００−２８９９０４号公報
【発明の開示】
【発明が解決しようとする課題】
【０００８】
このような構成は、給紙装置に、ロール紙をカットする切断装置の駆動源、ロール紙を繰り出す繰出装置の駆動源、ロール紙を画像形成部側に搬送する搬送装置の駆動源を、各々、設けたものとなりやすい。
【０００９】
このため、給紙装置を画像形成装置から引き出して、ロール紙の先端のカットを行っているときに、ロール紙を画像形成部側に搬送する搬送装置の駆動源を誤って作動させて、手が巻き込まれてしまうという問題を含む。
【課題を解決するための手段】
【００１０】
上記の問題を解決するために、本発明は、請求項１の発明では、ロール紙収容部は、ロール紙を支持するフレームと、ロール紙を繰り出す繰出手段と、繰り出されたロール紙を所定の長さに切断する一対のロール紙を切断する切断手段と、ロール紙の繰り出しおよび巻戻しの動力源となる駆動手段と、該駆動手段の駆動力を該繰出手段およびロール紙に伝達する伝達手段とを有し、伝達手段は、一方のフレーム側に配置された第一伝達手段と、他方のフレーム側に配置された第二伝達手段とからなり、駆動手段は、第一伝達手段は、駆動手段に接続され、繰出手段を作動させ、第二伝達手段は、駆動手段の駆動力を繰出手段を介して伝達され、第一伝達手段には、ロール紙収容部を引き出した時に、第二伝達手段に駆動手段の駆動力の伝達を断つ、接離機構が設けられていることを特徴とする。
【００１１】
請求項２記載の発明は、駆動手段は、動力伝達手段を介して、駆動手段の駆動力を第一伝達手段に伝達させ、繰出手段は、ローラ軸にローラが設けられた、一対の構成からなり、第一伝達手は、一方のローラ軸に併設された、第一ギアと、連結手段に連結された第二ギアと、他方のローラ軸に併設され、該第一ギアに歯合する第三クラッチギアと第四クラッチギアとからなり、第二伝達手は、一方のローラ軸に設けられたワンウェイクラッチを備えた第三ギア６１０と、他方のローラ軸に設けられたワンウェイクラッチを備えた第四ギアとからなり、接離機構は、第一ギアと歯合する第五ギアと、該第五ギアと併設されたワンウェイクラッチギアとからなることを特徴とする。
【発明の効果】
【００１２】
本発明は、上記構成により、給紙装置を画像形成装置から引き出して、ロール紙の先端のカットを行っているときに、ロール紙を画像形成部側に搬送する搬送装置の駆動源を誤って作動させて、手が巻き込まれることを防止することができる。
【図面の簡単な説明】
【００１３】
【図１】本発明の給紙装置に適用する画像形成装置の概略図。
【図２】本発明の給紙装置の上面図。
【図３】図２の矢視ｘ方向から見た図。
【図４】図２の矢視ｙ方向から見た図。
【発明を実施するための最良の形態】
【００１４】
以下、本発明の実施の形態を図面に基づいて説明する。図１に、本発明の画像形成装置の概略図を示す。この装置は、画像形成手段Ａと定着手段Ｂと搬送手段Ｃとからなる。
【００１５】
画像形成手段Ａは、後に述べる給紙装置から供給された転写材に画像を形成すものであり、画像形成部Ａ１０と、転写材を各画像形成部（Ａ１０Ｙ、Ａ１０Ｍ、Ａ１０Ｃ、Ａ１０ＢＫ）に搬送し且つ搬送手段Ｃに搬送する転写材搬送部Ａ２０とからなる。
【００１６】
画像形成手段Ａは、転写材に転写するトナー像を形成するものである。画像形成部Ａ１０は、転写材の搬送方向の順に、垂直に、イエローＹ、マゼンタＭ、シアンＣ、ブラックＢＫが並列に配置されている。
【００１７】
画像形成手段Ａは、簡単に説明すると、像担持体（Ａ１１Ｙ、Ａ１１Ｍ、Ａ１１Ｃ、Ａ１１ＢＫ）の周囲に、像担持体（Ａ１１Ｙ、Ａ１１Ｍ、Ａ１１Ｃ、Ａ１１ＢＫ）上の残留電荷を除去する除電手段（図示せず）と、像担持体（Ａ１１Ｙ、Ａ１１Ｍ、Ａ１１Ｃ、Ａ１１ＢＫ）の表面を特定極性に帯電する帯電手段（図示せず）、帯電された像担持体（Ａ１１Ｙ、Ａ１１Ｍ、Ａ１１Ｃ、Ａ１１ＢＫ）の静電潜像を形成する露光手段（図示せず）と、像担持体（Ａ１１Ｙ、Ａ１１Ｍ、Ａ１１Ｃ、Ａ１１ＢＫ）の表面に形成された静電潜像をトナーにより現像する本発明の現像装置（Ａ１２Ｙ、Ａ１２Ｍ、Ａ１２Ｃ、Ａ１２ＢＫ）と、像担持体（Ａ１１Ｙ、Ａ１１Ｍ、Ａ１１Ｃ、Ａ１１ＢＫ）に現像されたトナー像を給紙装置から搬送された転写材に転写する転写手段（Ａ１３Ｙ、Ａ１３Ｍ、Ａ１３Ｃ、Ａ１３ＢＫ）とからなる。各色のトナーの供給はトナーカートリッジ（Ａ１４Ｙ、Ａ１４Ｍ、Ａ１４Ｃ、Ａ１４ＢＫ）により行われる。
【００１８】
なお、この実施の形態では、各色の混色が生じたとしても、余り目立たないようにするために、転写材の搬送方向の順に、垂直に、イエローＹ、マゼンタＭ、シアンＣ、ブラックＢＫ順に配置されているが、これに限定されることはなく、ブラックＢＫ、シアンＣ、マゼンタＭ、イエローＹとしてもよい。
【００１９】
転写材搬送部Ａ２０は、ループ状のベルト（無端ベルト）Ａ２１と駆動ユニットＡ２２と従動ローラＡ２３とからなり、垂直方向に配置されている。駆動ユニットＡ２２と従動ローラＡ２３とによって、ベルトＡ２１は、張力がかかった状態で掛け渡されている。駆動ユニットＡ２２は、二つのローラ（Ａ２２ａ、Ａ２２ｂ）からなる。
【００２０】
定着手段Ｂは、画像形成手段Ａを経て搬送された転写材のトナー像を定着するものであり、一対のローラ（Ｂ１１ａ、Ｂ１１ｂ）からなり、画像形成手段Ａより上方に配置されている。
【００２１】
図２〜４に、本発明の給紙装置の概略図を示す。給紙装置は、図１に示すように、画像形成手段Ａに供給するロール紙Ｐを収容するロール紙収容部０が多段に積載された構造となっている。ロール紙収容部０は、フレーム１００と、繰出手段２００と、切断手段３００と、駆動手段４００と、伝達手段（５００、６００）とからなり、取手を介して引き出す（図１の矢印方向Ｘ）ことができるようになっている。
【００２２】
フレーム１００は、ロール紙Ｐを支持するものであり、薄板状の部材からなり、ロール紙Ｐを取り付ける取付部１１０が設けられている。ロール紙Ｐの取り付けは、ロール紙Ｐの両側に図示しない保持手段を装着して行われる。保持手段には、後に述べる駆動手段４００からの駆動力が伝達される第二伝達手段６００に連結され、ロール紙Ｐの引出しおよび巻き戻しを行う。
【００２３】
図２に示すように、繰出手段２００は、ロール紙Ｐを画像形成手段Ａに繰出すものであり、一対の回転体（２１０、２１０´）からなる。具体的に、繰出手段２００は、ローラ軸（２２０、２２０´）にローラ（２３０、２３０´）が設けられたものである。繰出手段２００のロール紙Ｐの繰出しは、伝達手段（５００、６００）を介して、駆動手段４００の駆動力により行われる。
【００２４】
繰出されたロール紙Ｐは、図３、４に示すように、切断手段３００により、所定の長さにカットされる。駆動手段４００は、ロール紙Ｐの繰り出しおよび巻戻しの動力源となるものであり、この駆動力は、動力伝達手段８００となるベルトを介して、伝達手段（５００、６００）に伝達される。
【００２５】
伝達手段（５００、６００）は、先に述べた駆動手段４００の駆動力を該繰出手段２００およびロール紙Ｐに伝達するものであり、一方のフレーム１００側に配置された第一伝達手段５００と、他方のフレーム１００側に配置された第二伝達手段６００とからなる。
【００２６】
図２および図３に示すように、第一伝達手段５００は、第一ギア５１０と、第一ギア５１０に歯合する第一電磁クラッチ５２０とからなる。第一電磁クラッチ５２０は、ローラ軸２２０´に配置され、画像形成装置からロール紙収容部０が引き出（着脱）されたときに、作動がオフになるスイッチ（図示せず）が設けられている
【００２７】
図２および図４に示すように、第二伝達手段６００は、第三ギア６１０と、第四ギア６２０と、第五ギア６３０と、第六ギア６４０と、第七ギア６５０と、第八ギア６６０とからなる。
【００２８】
第三ギア６１０は、他方のローラ軸２２０´に配置され、ワンウェイクラッチが内蔵されている。このワンウェイクラッチは、ロール紙Ｐを送るときには第一伝達手段５００の駆動力の伝達が切られ、第三ギア６１０が空転し、さらに、ロール紙Ｐを巻き戻すときは第一伝達手段５００の駆動力の伝達がされるように構成されている。
【００２９】
第四ギア６２０は、第三ギア６１０に歯合するものであり、固定軸６２０´に配置され、ロール紙Ｐの巻き戻し時にのみ第四ギア６２０を回転させるワンウェイクラッチが内蔵されている。また、第七ギアはトルクリミッターが内蔵され、トルクリミッターを介して第八ギアが設けられている。第七ギア６５０と、第八ギア６６０は、図示しないロール紙のスプールの接続部である。
【００３０】
さらに、第一伝達手段５００は、ロール紙収容部０を引き出した時に、ロール紙Ｐを巻き戻した際に、第一伝達手段５００から第二伝達手段６００に駆動力が伝達されないように、第三伝達手段７００が設けられている。
【００３１】
第三伝達手段７００は、第一ギア５１０と歯合する第二電磁クラッチギア７１０と、第八ギア７２０と、第一クラッチギア７３０と、第一クラッチギア７３０に歯合する第二ギア７４０とからなる。第二ギア７４０は、ワンウェイクラッチが内蔵され、このワンウェイクラッチにより、ロール紙Ｐを送るときには他方のローラ軸２２０´に伝達させ、ロール紙Ｐを巻き戻すときは、他方のローラ軸２２０´に伝達を切るように構成されている。
【００３２】
以上の構成のもと、本発明の給紙装置の動作について説明する。先ず、ロール紙Ｐを画像形成部に供給する場合には、画像形成装置に給紙装置を装着する。この時、ロール紙収容部０が装着したことを図示しない開閉検知スイッチが検知して、第一クラッチ５２０が作動する。
【００３３】
この後、駆動手段４００を作動させると、その駆動力は、図２、３に示すように、動力伝達手段８００を介して、第一ギア５１０、第一電磁クラッチ５２０の伝達経路を経て、他方のローラ軸２２０´に伝達される。この第一クラッチ５２０の作動のオン・オフにより、他方のローラ軸２２０´に駆動手段４００の駆動力を伝達する接離の制御が可能となり、ロール紙Ｐの引出しと巻き戻しができるようになる。
【００３４】
このような伝達により、繰出手段２００によるロール紙Ｐの繰出しと、ロール紙収容部０に収容されたロール紙Ｐの引き出しが行われる。なお、ロール紙Ｐの巻戻しは、駆動手段４００を逆方向に駆動して、各ギアを逆回転させて行う。
【００３５】
次に、ロール紙収容部０が引き出されている時は、図示しない開閉検知スイッチが、ロール紙収容部０が装着されていないことを検知して、第一クラッチ５２０の作動をオフする。
【００３６】
第三伝達手段７００のみ使用可能となる。すなわち、第二ギア７４０のワンウェイクラッチにより、ロール紙Ｐの引出し方向のみにしかローラ軸２１０´は回転しない。なお、ロール紙収容部０を引き出しているときは、ロール紙Ｐの引出しのみ作動することが可能となる。
【００３７】
この時、第二伝達手段６００は、第三ギア６１０、第四ギア６２０に各々内蔵されたワンウェイクラッチにより、ロール紙Ｐの引出し時は回転しないため、第七ギア６５０と、第八ギア６６０も回転しない。この結果、駆動手段４００の駆動力は、第二伝達手段６００に、手が巻き込まれることが防止される。
【符号の説明】
【００３８】
０  ロール紙収容部
１００  フレーム
１１０  取付部
２００  繰出手段
３００  切断手段
４００  駆動手段
５００  第一伝達手段
５１０  第一ギア
５２０  第一電磁クラッチ
６００  第二伝達手段
６１０  第三ギア
６２０  第四ギア
６３０  第五ギア
６４０  第六ギア
６５０  第七ギア
６６０  第八ギア
７００  第三伝達手段
７１０  第二電磁クラッチギア
７２０  第九ギア
７３０  第一クラッチギア
７４０  第二ギア
８００  動力伝達手段
【図１】
2013180845.tif 000003
【図２】
2013180845.tif 000004
【図３】
2013180845.tif 000005
【図４】
2013180845.tif 000006